(57)【特許請求の範囲】
【請求項１】
動力源と、
現在時刻を表示するための手段と、
少なくとも１個の制御部材を有して、クロノグラフのスタート機能、ストップ機能およびリセット機能を作動させる制御可動装置（６０）を備えるクロノグラフ機構と、
を設けたムーブメントを備える時計において、
前記制御可動装置（６０）は、さらに、前記制御部材と運動学的に連結する歯付きセクタ（８４）を有する駆動部材を備え、また
前記時計は、回転可能に駆動される他のボタン（９２）を備え、該ボタンは、前記歯付きセクタ（８４）と運動学的に連結することができる歯部と一体化し、前記ボタンの回動によって、前記クロノグラフの前記スタート機能、前記ストップ機能および前記リセット機能を作動させる構成とした
ことを特徴とする時計。
【請求項２】
請求項１に記載の時計において、前記制御部材は、互いに同軸状であって一緒に回転可能な、第１シャトル（６２）、第２シャトル（６６）、第３シャトル（７６）を有し、前記第３シャトルは前記駆動部材としても構成したことを特徴とする時計。
【請求項３】
請求項１または２に記載の時計において、少なくとも第１位置および第２位置をとることができる制御心軸（８）であって、前記第１位置および前記第２位置は、それぞれ、前記動力源を巻き上げる、および表示部材に作用するよう配置し、前記ボタンは、前記制御心軸と一緒に回転するよう取り付け、前記歯部は、前記制御心軸（８）によって支持したピニオン（８６）とし、また、前記制御心軸は第３位置をとることが可能であり、該第３位置では、前記ピニオンが前記歯付きセクタと係合し、この係合により前記ボタンの前記回動によって前記クロノグラフの前記スタート機能、前記ストップ機能および前記リセット機能が作動するよう構成した、ことを特徴とする時計。
【請求項４】
請求項３に記載の時計において、前記制御心軸（８）は、分割構造とされ、
少なくとも一部が前記ムーブメントの外側に位置し、また竜頭を支持するよう構成した第１部分と、
前記ムーブメント内に位置し、前記竜頭側に位置する端部で、前記ピニオン（８６）を支持するよう構成した第２部分と、
を画定し、
前記第１部分は、前記第２部分に取り付けられていることを特徴とする時計。
【請求項５】
請求項３に記載の時計において、前記制御心軸（８）の前記第３位置は、前記ムーブメントに対する前記制御心軸の基端側位置とし、前記制御心軸の第１位置は、前記ムーブメントに対する前記の中間位置とし、さらに、前記制御心軸の前記第１位置は、前記ムーブメントに対する前記制御心軸の末端側となるよう構成したことを特徴とする時計。
【請求項６】
請求項１または２に記載の時計において、前記ボタン（９２）は、歯付きリング（９０）を介して前記歯付きセクタに連結し、該歯付きリングは、ほぼ前記ムーブメントを包囲し、かつ並進移動可能に取り付けたことを特徴とする時計。
【請求項７】
請求項６に記載の時計において、前記歯部（９４）を、前記歯付きリングの外周縁（９０ｂ）に噛み合わせ、また、前記歯付きセクタ（８４）を、前記歯付きリングの内周縁と噛み合わせたことを特徴とする時計。
【請求項８】
請求項１または２に記載の時計において、前記ボタン（９２）は、並進移動可能に取り付けたラック（９６）を介して前記歯付きセクタ（８４）に連結し、該ラックは、一方では前記歯部（９４）と、他方では前記歯付きセクタ（８４）と噛み合わせたことを特徴とする時計。
【請求項９】
請求項６〜８のいずれか一項に記載の時計において、前記ボタン（９２）は、前記ムーブメントの平面に直交する軸線の周りに回動可能としたことを特徴とする時計。
【請求項１０】
請求項２〜９のいずれか一項に記載の時計において、前記第３シャトル（７６）は、運動学的に突起要素（８０）の一方の側を介して前記第２シャトル（６６）と連結し、該突起要素の他方の側で、第１ハウジング（７４）に係合するものとしたことを特徴とする時計。
【請求項１１】
請求項２〜１０のいずれか一項に記載の時計において、前記第３シャトル（７６）は、その周縁で、歯（７０ｂ）によって分割される第１および第２の窪み（７０ａ）と、前記第１および前記第２の窪み（７０ａ）と係合して、前記制御可動装置を、前記クロノグラフの前記ストップ機能に相当する第１位置に固定し、また前記制御可動装置を、前記クロノグラフの前記スタート機能に相当する第２位置に固定するよう構成したジャンパ（７２）と、を有する構成とし、また前記第１窪みは、斜面（７０ｃ）によって拡張したことを特徴とする時計。
【請求項１２】
請求項１〜１１のいずれか一項に記載の時計において、斜面要素は、前記第３シャトルが第１極限位置と第２極限位置との間に展開するように配置したことを特徴とする時計。
【請求項１３】
請求項１に記載の時計において、制御可動装置は、コラムホイールとすることを特徴とする時計。
【発明の詳細な説明】
【技術分野】
【０００１】
本発明は、機械時計製作法の分野に関する。特に、
動力源と、
現在時刻を表示するための手段と、
少なくとも１個の制御部材を有して、クロノグラフのスタート機能、ストップ機能およびリセット機能を作動させる制御可動装置を有するクロノグラフ機構と、
を設けたムーブメントを備える、時計に関する。
【背景技術】
【０００２】
様々なクロノグラフ機構が存在しており、当業者によく知られている。主に２種類のクロノグラフ機構が存在していて、制御可動装置がコラムホイールか、またはカムかのいずれかに基づいて分類される。特に、非特許文献１（”Theorie de I’horlogerie” by Reymondin et al, Federqtion des Ecoles Techniaues, 1998, ISBN 2-940025-10-X, pages 225 to 252）を参照して、これらの機構の詳細を理解することができる。
【０００３】
従来、クロノグラフ機構の機能は、２個のプッシュ要素を使用して動作し、これらの２個のプッシュ要素は、駆動部材で制御可動装置に作用する。コラムホイールを有するクロノグラフでは、駆動部材は歯付きプレートである。カム・クロノグラフでは、カムを構成する２個のシャトルが存在する。これらのシャトルは、制御部材および駆動部材の両方を形成する。実際、プッシュ要素のうち１個が、シャトルのうちの１個に作用することで、ムーブメントがスタート機能およびストップ機能を作動させ、さらに別のプッシュ要素が別のシャトルに作用することで、ムーブメントがリセット機能を作動させる。
【０００４】
単一プッシュ要素クロノグラフも知られており、この機構では、名前が示す通り、１個のプッシュ要素によって、全ての機能を実施する。この単一プッシュ要素はコラムホイールの並進（平行）移動に作用し、コラムホイールの制御部材は、全ての機能を制御するよう構成する。精緻なことには、このプッシュ要素は、一般に、制御心軸（アーバー）内に収容し、この心軸の端部に位置する竜頭（crown）から突出している。この単一プッシュ要素は、従来、クロノグラフとは無関係にムーブメントのセッティング機能およびワインディング（巻き上げ）機能を実施する。巻き上げは、制御心軸０の位置、すなわち制御心軸がムーブメントに対して基端側位置（近位）にあるとき、行われ、またセッティングは、制御心軸の位置１、すなわち、心軸がムーブメントに対してより離れた位置にあるとき、行われる。
【０００５】
両タイプのクロノグラフとも、しばしば複雑な形態を有する大きなレバーを、プッシュ要素と制御部材の駆動部材との間に挿入しなければならないことに注目されたい。
【先行技術文献】
【非特許文献】
【０００６】
【非特許文献１】”Theorie de I’horlogerie” by Reymondin et al, Federqtion des Ecoles Techniaues, 1998, ISBN 2-940025-10-X, pages 225 to 252
【発明の概要】
【発明が解決しようとする課題】
【０００７】
本発明は、クロノグラフ機構の機能を作動させて、さらに上記欠点を解決するための特に新規な代替物を提案することを目的とする。
【課題を解決するための手段】
【０００８】
より詳しくは、本発明は、冒頭段落で述べた時計に関し、この時計は、制御可動装置が、運動学的に制御可動装置と連結する歯付きセクタを有する駆動部材も備えることを特徴とする。この時計は、また、回転可能に駆動することができるボタンを備え、このボタンは、歯付きセクタと運動学的に連結することが可能な歯部と一体化し、ボタンの回動により、クロノグラフのスタート機能、ストップ機能およびリセット機能を作動させる。
【０００９】
有利には、提案する構造は、制御軸および駆動部材間のレバーを除くことを可能にする。実際、これらの構造は、既存のクロノグラフ機構に容易に適用させることができる。
【００１０】
他の有利な特徴は、請求項の範囲に記載する。
【００１１】
本発明を、以下に添付図面につき説明する。
【図面の簡単な説明】
【００１２】
【図１】本発明の好適な一実施形態の頂面図である。
【図２】図１の機構における細部の頂面図である。
【図３】図１の機構における細部の頂面図である。
【図４】図１の機構における細部の頂面図である。
【図５】図１の機構における細部の断面図である。
【図６】クロノグラフのスタート機能に対応する位置における機構の図である。
【図７】クロノグラフのストップ機能に対応する位置における機構の図である。
【図８】クロノグラフのリセット機能に対応する位置における機構の図である。
【図９】本発明による他の実施形態の図である。
【図１０】本発明によるさらに他の実施形態の図である。
【発明を実施するための形態】
【００１３】
図１は、本発明の好適な一実施形態によるクロノグラフ機構の主な要素を示し、これら要素は、フレームに搭載する。この機構は、基本的なムーブメントにモジュール式に一体化する、または搭載することができ、図面を分かり易くするため、ムーブメントは図示しない。当然、このムーブメントは、その後の駆動連鎖（トレイン）を駆動し、ディスプレイ部材を使用して現在時刻を表示するための動力源を備える。図２に示す制御心軸８は、いわゆる巻き真（winding stem）とも呼ばれ、従来、動力源を巻き上げるためにとる第１位置と、表示手段に作用するためにとる第２位置と、をとることができるように設ける。これらの２個の機能は、当業者によく知られており、ピニオン（pinion）、キチ車、オシドリ（pull-out piece）を含むシステムによってこれらの機能を実施することができる。
【００１４】
従来のカム・クロノグラフ機構のように、図１の参照符号１０は、ムーブメントの二番車によって連続的に駆動されるスイングピニオン（oscillating pinion）を示す。このピニオン１０は、第１フィーラー・スピンドル１４で終端するレバー１２上に取り付ける。ばね部材１６は、ピニオン１０をクロノグラフホイール１８に接触させようとする力をレバー１２上に加え、このクロノグラフホイール１８は、ピニオン１０が結合するとき、毎分１回転の速度で回転するように設計する。
【００１５】
一般に、このクロノグラフホイール１８には、秒との精密なカップリングを生ずるために、６０個の歯を設ける。クロノグラフホイール１８は、測定時間の秒用の表示手段を支持するよう設計する。ハートピース（heart-piece）２０は、ホイール１８の主軸上に一体に取り付ける。さらに、弾性指（elastic finger）２２もホイール１８に配置して、ホイール１８が１回転する毎に、分のカウンタホイール２６に係合する中間トレイン（intermediate train）２４を１回駆動する。カウンタホイール２６は、測定時間の分用の表示手段を支持するよう設計する。ハートピース２８は、ホイール２６の主軸と一体化に取り付ける。ジャンパ・スプリング（jumper spring）３０によって、ホイール２６の位置決めを確実なものとする。
【００１６】
ブレーキ・レバー（brake-lever）３２を、フレームに回動可能に取り付ける。このブレーキ・レバー３２は、クロノグラフホイール１８と協調してホイール１８の回転を抑止するように設計したブレーキ３４と、ブレーキ・レバー３２の位置決めを制御するように設計した第２フィーラー・スピンドル３６とを備え、このことは後に述べることから理解できるであろう。ばね３５は、クロノグラフホイール１８にブレーキ３４を押し付けるようとする力を生ずるよう構成する。
【００１７】
ハートピース２０および２８と協調するようにダブルハンマー３８を設け、秒表示手段および分表示手段をリセットする。ダブルハンマー３８に、第３フィーラー・スピンドル４２を有するレバー４０を設け、この第３フィーラー・スピンドル４２は、ダブルハンマー３８の位置を制御するように設計する。ヨーク４４は、回動可能にレバーに取り付ける。回動ポイントの両側で、ヨーク４４に第１支持面４８および第２支持面５０をそれぞれ設け、ハートピースと協調させる。レバー４０に配置した２個のピン５２を設け、ヨーク４４の回動を制限する。ばね５４は、ヨークに作用して、支持面４８および５０を、各ハート・ピースに接触させようとする力を発生する。
【００１８】
制御可動装置６０は、異なるフィーラー・スピンドルと協調するように配置して、上述の要素を位置決めし、クロノグラフ機構のスタート機能、ストップ機能およびリセット機能を動作させるようにする。図示する実施形態によれば、制御可動装置は、軸ＡＡ周りに回動するカムで構成される制御部材を備える。より分かり易くするため、１個のカムを図２、３および４につき説明し、これら図面でこのカムの要素をより詳しく示す。
【００１９】
カムは、第１（上側）シャトル６２を有する（図２参照）。この第１シャトル６２は、ダブルハンマー３８の第３フィーラー・スピンドル４２と協調するように設計した作動域６４を有する。カムの位置に基づいて、作動域６４は、ばね５４によって加わる力に抵抗とする、または抵抗しないように配置される。それぞれの状況で、支持面は、ホイール１８および２６のハートピースと協調する、または協調しない。
【００２０】
カムは、第２（中間）シャトル６６を有し、この第２シャトル６６は、第１シャトル６２と一緒に回転する（図３参照）。第２シャトル６６は、ヨーク１２の第１フィーラー・スピンドル１４と協調するように設計する作動域７８を有する。カムの位置に基づいて、ばね部材１６によって加わる力に抵抗する、または抵抗しないように、作動域７８を配置する。それぞれの状況で、ピニオン１０は、クロノグラフホイール１８と結合しない、またはクロノグラフホイール１８と結合する。シャトル６６は、ピン８０等の突起要素も有しており、この突起要素の機能に関しては、後述する。
【００２１】
カムは、第３（下側）シャトル７６も有する（図４参照）。第３シャトル７６は、歯７０ｂによって区切られる２個の窪み７０ａを有し、これら窪みにジャンパ７２が協調して、クロノグラフのスタート機能及びストップ機能に対応して、カムの２個の安定した位置を画定する。さらに、窪みの一方であって、ストップ機能を規定する窪みは、斜面７０ｃが、歯７０ｂによって決まる高さを超えて延在し、ジャンパ７２はこの斜面７０ｃと協調してクロノグラフのリセット機能のための位置に、カムを位置決めする。最後に、シャトル７６は、ハウジング７４を有し、このハウジング７４は、カムの回転方向に遊びがないよう、ピン８０を収容するように、位置決めし、また寸法決めする。シャトル７６は、さらに、ブレーキ・レバー３２の第２フィーラー・スピンドル３６と協調するように設計した作動域６８も有する。カムの位置に基づいて、ばね３５によって加わる力に抵抗する、または抵抗しないように作動域６８を配置する。それぞれの状況で、ブレーキ３４は、クロノグラフホイール１８と協調しない、または協調する。
【００２２】
さらなるばね８２を、これらシャトルのうち１個に作用するように位置決めし、好ましくは第３シャトル７６に作用するように配置し、リセット機能を作動させるとき、ユーザーにとってリセット機能が作動し難くなるようにする。
【００２３】
本発明の重要な態様によれば、シャトル７６は、軸線ＡＡと同心状の歯付きセクタ８４まで延在する。したがって、歯付きセクタ８４に作用することによって、下側カムの回動を駆動させ、さらにピン８０とハウジング７４の壁と間の協調を介して下側カムの回動とともに、シャトル６６および６２の回動を駆動させることができることを理解されたい。ピン８０とハウジング７４とを逆にし、ピン８０をシャトル７６に配置し、ハウジング７４をシャトル６６に配置することもできることに留意されたい。
【００２４】
歯付きセクタに作用するために、本発明による時計は、ムーブメントの制御心軸（巻き真）８（control stem）の使用を提案する。キチ車およびツヅミ車の他に、巻き真８はさらなるピニオン８６を支持し、このさらなるピニオン８６は、巻真８が所定の位置にあると、歯付きセクタ８４と噛み合って一緒に回転するよう設計する。図５に示すように、ピニオン８６および歯付きセクタ８４は、９０゜の角度で噛み合う。したがって、この構造によれば、クロノグラフ用作動部材として機能する巻き真の竜頭（crown）と制御可動装置との間にいかなるアームおよび中間レバーも介在させないことを可能にすることが判る。操作性は、プッシュ部材と制御可動装置との間にアームおよびレバーを備える機構と比較して、特に融通性がありまた精密である。
【００２５】
クロノグラフ機構の作動における操作を快適なものとするために、歯付きセクタの動きが、竜頭の回転と比べて、相当迅速でなければならない。実際、例えば、クロノグラフのスタートは、竜頭の限定的な回転の後であって、竜頭を完全に一回転させた後ではない時点で行わなければならない。この目的のために、ピニオン８６の直径を比較的大きくし、一般に約５ｍｍとする。さらに、図示の構造によれば、歯付きセクタ８４は、ムーブメントの周縁に配置することができる。この場合、ピニオン８６を竜頭の比較的近傍に配置するが、このことにより、ケース内への取り付けが困難になる場合がある。この問題を補償するために、巻き真は、ピニオンと竜頭との間で、最も具体的にはピニオンと同じ位置で分割するのが好ましい。したがって、巻き真のピニオンを支持する部分は、容易にムーブメントに組み込むことができるとともに、竜頭を支持するよう設計した巻き真の他の部分は、相互連結させた後に、外部から取り付けることができる。
【００２６】
ツヅミ車およびキチ車の位置は、有利には、巻き真が基端側位置にあるとき、クロノグラフ機構を作動させることができるよう構成する。したがって、クロノグラフをスタートさせるために、事前にいかなる牽引力も巻き真に加える必要がない。制御巻き真を第２位置に引っ張るとき、動力源を巻くことができて、第３遠位位置では、セッティングを行うことができる。
【００２７】
ここで、クロノグラフの異なる機能の作動に関して、図６，７および８につき説明する。
【００２８】
機能させていないアイドル状態（図６参照）では、歯付きセクタ８４は、基本的に、制御心軸（巻き真）の軸線に対して対称になる。ジャンパ７２によってカムをその位置に保持し、このジャンパ７２は、第１窪み７０ａに係合する。レバー１２の第１フィーラー・スピンドル１４は、シャトル６６の作動域７８を圧着する。ピニオン１０は、クロノグラフホイール１８から切り離される。ブレーキ・レバー３２の第２フィーラー・スピンドル３６で、第３シャトル７６の作動域６８はばね３５に対して抵抗せず、ブレーキ３４は、車１８に係合して、ホイール１８を抑止する。ダブルハンマーの第３フィーラー・スピンドル４２は、第１シャトル６２の作動域６４に係合して、ばて５４に抵抗させる。ダブルハンマーが持ち上がり、支持面はハートピース２０および２８に係合しなくなる。
【００２９】
クロノグラフのスタート機能を作動させるために、図７に示すように、装着者は竜頭を反時計回り方向に旋回させて、シャトル７６の時計回りの旋回運動を作動させる。シャトル７６の回動は、シャトル６６およびシャトル６２の同時回動を駆動する。ジャンパ７２は、他方の窪み７０ａ内に入り込み、カムをその位置に保持する。レバー１２の第１フィーラー・スピンドル１４は、もはやシャトル６６の作動域７８を圧迫しなくなり、したがって、ばね１６に抵抗しなくなる。ピニオン１０はクロノグラフホイール１８に係合する。ブレーキ・レバー３２の第２フィーラー・スピンドル３６は、第３シャトル７６の作動域６８を圧迫し、ばね３５に抵抗する。ブレーキ３４はホイール１８に係合しなくなる。ハンマーは依然持ち上がった状態にあり、支持面はハートピース２０および２８と係合しない。
【００３０】
装着者が竜頭を時計回りに旋回させることによって、図６に示すように、シャトル７６の反時計回りの回動を生じる。シャトル６６および６２も回動して、ジャンパ７２は、第１窪み７０ａに戻って入り込む。このとき、上述したアイドル状態の位置になり、クロノグラフはストップする。操作者は、リセットすることなく、上述の通りにクロノグラフを再スタートおよびストップすることができる。
【００３１】
リセットを作動させるために、必ず通過しなければならないアイドル状態の位置につき説明すると、装着者は、図８に示すように、装着者は竜頭を時計回りにさせて、シャトル７６の反時計回りの回動させるる。シャトル６６および６２も回動して、他のばね８２を押し、ジャンパ７２が斜面７０ｃに乗り上がる。レバー１２の第１フィーラー・スピンドル１４は、依然シャトル６６の作動域７８を圧迫する。ピニオン１０は、クロノグラフホイール１８から切り離される。ブレーキ・レバー３２の第２フィーラー・スピンドル３６は、第３シャトル７６の作動域６８を押し、ばね３５に抵抗する。ブレーキ３４は、ホイール１８と係合しなくなる。ダブルハンマーの第３フィーラー・スピンドル４２は、第１シャトル６２の作動域６４に係合しなくなる。ばね５４の影響下で、ハンマーが降下し、支持面がハートピース２０および２８を押して、表示部材をリセットする。ユーザーが竜頭を釈放すると、ジャンパ７２は、斜面７０ｃの作用により、機構をアイドル状態の位置に復帰させる。
【００３２】
したがって、機能が正確に実施されることができるようにカムの位置決めを行うのはジャンパである。しかし、ユーザーは、竜頭を回動し過ぎる可能性が有り、このことによって、シャトルがフィーラー・スピンドルに力を及ぼしてしまう可能性が有る。この事態を避けるために、シャトル７６の両側でフレームにブレーキ要素を設けることができる。
【００３３】
このように、異なる機能を特に元来の方法で駆動させることを可能にすると同時に、制御心軸（巻き真）と制御部材の駆動部材との間には何らレバーを持たないよう、レバーを排除するクロノグラフ機構を提案する。
【００３４】
図９および１０は、２個の他の実施形態を提案し、これらもまた、上記のように提案したクロノグラフ機構と類似した原理によりクロノグラフの異なる機能を作動させることを可能とする。
【００３５】
図９では、歯付きセクタ８４が、第３シャトル７６の終端となっているのが判る。ほぼムーブメントを囲むように寸法決めしたリング９０を、ケースリングに配置する。より詳しくは、リング９０の内径は、ムーブメントをリング９０内に配置するのに十分な寸法とし、一方で、リング９０の外径は、リング９０がケースリングで覆われる、または時計ケースの内に納まることができる寸法とする。リング９０は、ケースリングに配置し、おそらく石によって回転可能に案内する。リング９０は、少なくとも部分的な歯付き構造にし、またその内周縁および外周縁にそれぞれ歯を付けた、第１歯部９０ａおよび第２歯部９０ｂを備えるものとする。歯部は、リングの全周または一部分にわたって直接刻み目を付けて形成する、または図９に示す実施例のように、歯付きピースを取り付けることによって形成することができ、このことによって、必要とする領域のみ歯部を配置することができる。このような配置は、容積の観点から利点がある。
【００３６】
クロノグラフ機構を作動させるために、ボタン９２をケースに回転可能に取り付けて、時計の装着者が外部からアクセスできるようにする。図示した実施例では、これに限定されるものではないが、ボタン９２は、ムーブメントの平面に対して直交する軸線周りに回動できるようにする。換言すれば、ボタンは、ムーブメントの平面とほぼ平行な平面を画定する。ボタン９２は一般に、ボタンと同軸状に配置したピニオン９４の形式とした歯部と一体に回転可能とする。このピニオン９４は、好ましくは、外周縁における第２歯部９０ｂによって、リング９０と噛み合う。歯付きセクタ８４は、リングの内周縁における第１歯部９０ａと噛み合う。
【００３７】
したがって、ボタン９２を回動することによって、ユーザーは、クロノグラフの異なる機能を作動させることができる。ボタン９２は、ムーブメントの軸線と平行な軸線の周りに回動するよう取り付けることもでき、この場合、ピニオン９４はリングに対して直交する方向に噛み合う。
【００３８】
図１０の実施形態では、やはり第３シャトル７６の終端部に歯付きセクタ８４を有する。ラック９６を、ケースまたはムーブメント内で並進運動するように移動可能に取り付け、このラック９６を少なくとも１個の細長い開口によって案内して、この開口内に、ねじ等の固定部材が係合するようにし、この固定部材はムーブメントの支持体またはムーブメントのケースに固定する。当業者は、他の手段を使用してラックを取り付けることができる。ボタン９２をケースに回転可能に取り付けて、外部からアクセスできるようにする。有利な一実施形態では、ボタンをケースの上部で、ダイヤルスライドとして取り付け、好適には、ケースのコーナーに取り付け、丸いダイヤルを有する四角いケースの場合は、ケースのコーナーに取り付ける。上述の実施形態のように、ボタン９２は、ムーブメントの平面に直交する軸線に沿って回動することができ、このボタン９２と同軸状のピニオン９４と一体化する。ラック９６は、その一方でピニオン９４と噛み合い、もう一方で歯付きセクタ８４と噛み合う。当業者であれば、ラック９６がボタン９２の回転を、クロノグラフ機構の駆動部材に伝達することができるように、これら部材の異なるレベルを容易に調節することができるであろう。特に、歯付きセクタ８４は、通常、ムーブメントの裏面側に配置するが、ボタン９２をダイヤル側に配置する場合、ピニオン９４は、ムーブメントに貫通する心棒によって、ボタン９２に連結することができる。このように、ボタンを回動することによって、ユーザーは、クロノグラフの異なる機能を起動させることができる。
【００３９】
図９および図１０の実施形態は、上述したのと同一の利点に加えて、第３機能、とくに、例えば日付またはＧＭＴ（グリニッジ標準時）を修正するために制御心軸（巻き真）を解放できるという他の利点を有する。これらの実施形態では、制御心軸９８は、もはやクロノグラフ機構との機能的連結を持たない。さらに、製造者は、クロノグラフの制御部材を、ボタンに対して、とくに融通性高く配置することができる。
【００４０】
上述の説明は、本発明の実施形態に関して、本発明を限定するものではないものとして行った。したがって、制御部材は、コラムホイールとすることもでき、駆動部材の歯付きセクタをホイールの形式とすることも考えられる。この場合、異なる機能の作動はそれに応じて適合させるべきであろう。この場合、依然として、竜頭は一方向に回転させて一機能から他の機能に切り替える必要が有り、クロノグラフは、スタート／ストップ／リセットの順序に従ってのみ機能することができる。実施形態の特定の詳細は、当業者であれば、とくにシャトル相互間の連結、またはカムの移動制限に関しては、適合させることができること明らかである。
【図１】
0005467056.tif 000002
【図２】
0005467056.tif 000003
【図３】
0005467056.tif 000004
【図４】
0005467056.tif 000005
【図５】
0005467056.tif 000006
【図６】
0005467056.tif 000007
【図７】
0005467056.tif 000008
【図８】
0005467056.tif 000009
【図９】
0005467056.tif 000010
【図１０】
0005467056.tif 000011